(57)【要約】【課題】  新規の釣り日誌の形式を実現するための課題は三つある。その一つは、必要記載項目を集約し、潮の干満時刻とその潮位と昼間時間帯が容易に読みとれるように表示することである。二つ目の課題は、釣り人が釣りに出かける港の潮の干満時刻とその潮位及び昼間時間帯が掲載されている釣り日誌を釣り人に提供することである。三つ目の課題は、釣り日誌の原稿を短時間で正確に作ることのできるソフトウエアを作成することである。【解決手段】  釣り日誌の記載項目を精査し、本発明のために作成したソフトウエアを使用して、釣り日誌の形式の中に、１日２４時間を表示し、潮の干満時刻と最高最低の潮位の記載位置を時刻の変化に応じて移動させ、潮位をグラフで表示し、時刻の変化に応じて記載位置が移動する昼間時間帯を表示する。また、本発明のために作成したソフトウエアを使用して、釣り日誌を製本する場合の原稿を短時間で正確に作ることが可能となる。【選択図】図２
2006051793.tif 000002
【特許請求の範囲】
【請求項１】
月の暦をページ毎に表示する形式と、
特記欄と備考欄を日別に表示する形式と、
月日欄を日別に表示する形式と、
潮位グラフの欄を時間軸で日別に表示する形式とを含む釣り日誌。
【請求項２】
釣り日誌に表示する開始日、終了日、基準港を入出力できることを特徴とする請求項１に記載の釣り日誌。
【請求項３】
潮位グラフの欄に昼間時間帯を表示し、魚種等の釣果を記入できることを特徴とする請求項１または請求項２に記載の釣り日誌。
【請求項４】
請求項１から請求項３のいずれかに記載の釣り日誌を数日分、一週間分、一ヶ月分、数ヶ月分、一年分等にまとめた釣り日誌。
【発明の詳細な説明】
【技術分野】
【０００１】
本発明は、主として魚釣りに使われ、貝、海草類の採集時にも使用できる日誌に関するものである。
【背景技術】
【０００２】
特開２００４−０８６６１８号（以下、特許文献１という）に、本発明は、例えば旅行者が旅行後に旅行を容易に思い出すことが可能な思い出作成システム、方法及びプログラム並びにサーバシステムに関する（特許文献１の第０００１段落）及び本発明の目的は、正確且つ簡単にして、例えば旅行者が旅行後に旅行を振り返って思い出すことが容易に行える思い出作成システム、方法及びプログラム並びにサーバシステムを提供することにある（特許文献１の第０００９段落）の記載がある。
【０００３】
特開２００４−０５８４４１号（以下、特許文献２という）に、本発明は、在宅介護日記帳に関し、詳しくはホームヘルパーにより一冊に記録された介護サービスに関する記録情報を、一方において要介護者の日記として活用することができると共に、他方においては介護サービス事業者への報告書として活用することができる在宅介護日記帳に関するものである（特許文献２の第０００１段落）及び本発明は、上記従来技術における問題点を解決するもので、ホームヘルパーにより一冊子に記録された介護サービスに関する記録情報を、一方において要介護者の日記として活用することができると共に、他方においては介護サービス事業者への報告書として活用することができる在宅介護日記帳を提供することを目的とするものである（特許文献２の第０００７段落）の記載がある。
【０００４】
特開平１０−０８１０８１号（以下、特許文献３という）に、従来より手帳には予定欄と日誌欄がある。予定欄には、予定の処理を確認するためにチェック欄あるいは日付記入欄を設けたものがある。しかし、どちらか一方であり、チェック欄と日付記入欄の両方を同時に設けたものはない。いま一つの日誌欄には白紙の日々の記録欄があるだけである（特許文献３の第０００２段落）の記載がある。
【０００５】
現在、市販されている釣り日誌（以下、非特許文献１という）は、ポケットサイズで１週間７日分を１ページとしている。また、釣り日誌に印刷されている項目は、月の暦、月日、曜日、潮の干満時刻、旧潮名が記載されている他、場所、対象魚、朝汐、マキエ、ツケエ、天候、風、波の高低を釣り人がメモする実釣データ欄が設けてある。他に金言名句と釣りや海にまつわる言霊の掲載がある。
【０００６】
【特許文献１】特開２００４−０８６６１８号（第０００１段落、第０００９段落）
【特許文献２】特開２００４−０５８４４１号（第０００１段落、第０００７段落）
【特許文献３】特開平１０−０８１０８１号（第０００２段落）
【非特許文献１】編集・発行  株式会社ケイエス企画、  文献・刊行物  釣魚手帳２００４、  発行所  北九州市小倉北区、  発行年月  平成１５年末、  全８４ページ
【発明の開示】
【発明が解決しようとする課題】
【０００７】
しかしながら、特許文献１〜３では魚釣りや貝、海草類の採集の記載項目を実現することができないという問題点がある。
非特許文献１では、必要にして十分な記載項目が記載されていない。また、釣り場や予定日を計画することができないという問題点がある。
本発明は、魚釣りや貝、海草類の採集の為のデータとして、必要不可欠な月の暦、月日、曜日、旧潮名、日の出と日没の時刻（昼間時間帯）と月の出入り時刻、潮の干満時刻とその潮位は印刷時に釣り日誌に記載し、特に、潮の干満時刻とその潮位及び昼間時間帯は時刻の経過に伴って記載位置を移動させ、潮位は、釣り日誌上に１日２４時間の変化をグラフで表示し、昼間時間帯も釣り日誌上に各日毎の下部に、長方形の印で表示し、天候、水温、釣り場所、釣果、エサ、仕掛け、波高、風向、特記欄、備考の欄の各項目については、釣り人が記入する欄を設定する釣り日誌を釣り人に提供することを目的とする。
【０００８】
時に、釣り人のための釣り日誌を作成するために、本発明が解決しようとする課題は三つある。その一つは、釣り日誌の記録漏れを少なくするために、月の暦はページ毎に、月日、曜日、旧潮名、潮の干満と潮位、日の出と日没（昼間時間帯）と月の出入り時刻等、暦やあらかじめ入手できるデータは日毎に、全てを印刷しておき、特に潮の干満時刻と潮位が視覚的に容易に読みとれて、釣果、魚種を時系列的に記入しやすいようにすると共に、日の出から日没までの昼間時間帯も視覚的に容易に読みとれるように表示することである。
二つ目の課題は、釣り人が釣りに出かける港もしくは釣り場の最寄り港の潮の干満時刻とその潮位及び昼間時間帯を表示してある釣り日誌を作成することである。
三つ目の課題は、釣り日誌を印刷、製本する場合の原稿を短時間で正確に作ることのできるソフトウエアを作成することである。  これらの主な課題を全て解決する釣り日誌を釣り人に提供することを目的とする。
【課題を解決するための手段】
【０００９】
釣り人が釣行の計画を立てる場合、（１）何時、（２）何を釣りに、（３）どこにを考える、この時、必ず付随して調査しなければならない項目として、潮の干満時刻と潮位及び昼間時間帯である。そこで、本発明では、釣り日誌の使用者にとって利用しやすく、便利な釣り日誌にするために、潮の干満時刻と潮位及び日の出から日没までの昼間時間帯を釣り日誌にどのような形で表現するかを徹底的に研究した。
【００１０】
本発明は釣り人のための釣り日誌を作成する時に、釣り人にとって潮の干満時刻と潮位及び昼間時間帯をどんな形で表示すれば、釣り人が読みやすく、使用し易い釣り日誌になるかということが解決すべき問題点の一つである。それには、先ず、記録として残さなければならない記載項目を列挙し、その中から絶対不可欠な記載項目を選定する。また、既存の釣り日誌に欠けている記載項目を調査し、これを釣り日誌に追加する。更に、日別に、潮の干満時刻とその潮位及び日の出から日没までの昼間時間帯を記載することにする。潮の干満時刻とその潮位及び昼間時間帯の表示方法は、１日２４時間の時刻の流れを日誌に表示し、その中で、潮の干満時刻とその潮位の記載位置が時刻の経過に伴って移動し、潮位をグラフで表示し、昼間時間帯は日の出から日没までを長方形の印で表示することにする。この方法で、潮の干満の時刻と潮位と日の出日没の時刻が直感的に認識でき、視覚的に記憶できる新しい釣り日誌の形式を実現する。この場合、記載項目、記載形式、表示の形を研究する一方では、同時平行して、釣り日誌の印刷・製本の原稿を作るためのソフトウエアの作成を鋭意研究し、その結果、本発明の新規の釣り日誌を実現した。
【００１１】
本発明の釣り日誌は、月の暦をページ毎に表示する形式と、
特記欄と備考欄を日別に表示する形式と、
月日欄を日別に表示する形式と、
潮位グラフの欄を時間軸で日別に表示する形式とを含む。
釣り日誌に表示する開始日、終了日、基準港を入出力できることを特徴とする釣り日誌も本発明に含まれる。
潮位グラフの欄に昼間時間帯を表示し、魚種等の釣果を記入できることを特徴とする釣り日誌も本発明に含まれる。
以上の表示形式の釣り日誌を数日分、一週間分、数ヶ月分、一年分等にまとめた釣り日誌も本発明の一つである。
【００１２】
本発明では、魚釣りのデータとして必要な記載項目を、月の暦、月日、曜日、旧潮名、潮の干満時刻と潮位、日の出と日没（昼間時間帯）と月の出入り時刻、場所、釣果、天候、水温、仕掛け、エサ、波高、風向と考え、これらの記載項目の全てを釣り日誌に記載し、更に、特記欄と備考の欄を設ける。なお、魚の釣れた時刻も釣り日誌に必要な記載項目であるが、本発明では、記載項目の一つとしては表示しないで、１日２４時間を表示した釣り日誌の中のグラフで表示される潮位の線上に釣れた魚の名を記入することで釣れた時刻が記録として残るようにする。
【発明の効果】
【００１３】
本発明の日誌形式で作成される釣り日誌は、毎日変わる潮の干満時刻と時々刻々と変化する潮位を視覚的に把握することができる。魚が季節、気温、水温、潮の干満に敏感に反応し、棲息する場所を変えながら成長していくことを全ての釣り人が知っている。釣り人が本発明の釣り日誌を使用する場合、先ず第一に、何時、何処で、何を釣るかを決めて、潮の干満の時刻を調べて、目的の魚種に応じた道具やエサをそろえて釣りに出かける。そして予定の魚釣りをして、帰宅し、釣果を記入する。釣果は、本発明の釣り日誌の潮位のグラフ上に、時系列的に記入できる。釣果が記入された本発明の釣り日誌は、釣った魚の成長の度合い、魚の大きさ、釣れた時刻と場所、よく釣れる道具とエサの種類等釣りに関する情報の宝庫となる。
【００１４】
本発明の釣り日誌に記入された事項は、単なる記録として残るだけではなく、魚が釣れた時刻と潮位から，釣った魚の成長の度合い、魚の大きさ、釣れた場所と時刻、よく釣れる道具とエサの種類等を明確に把握することができるので次の釣り計画の貴重なツールの一つになる。魚釣りをする時、天候は晴れ、風もなく、波は穏やか、最高の釣り竿と糸とエサ等の道具の条件がそろったところで最後に肝心なことは潮の干満時刻と潮位を釣りの条件に付け加えることである。これ以上はないという道具とエサを準備し、風と波は静かで雲一つない空模様の天候に巡り会っても、魚のいない海に竿、仕掛け、エサを投入しても魚は釣れない。このことから、魚がいたことの証拠となる記録された釣り日誌は、釣れた魚と釣れた時刻が読みとれるので魚釣りのツールの一つである。
記録された釣り日誌は次回の釣行に生かされ、釣果となって釣り人に戻ってくる。後日、例えば、短期間で言えば同じ潮の干満時刻と潮位が巡ってくるおよそ２週間後とか、長期間で言えば１年後の同じ季節の釣り計画に、記録された釣り日誌は間違いなく釣り計画の参考となる。記録された釣り日誌は、まさしくツールの一つである。
【００１５】
市販されている釣り日誌に欠けているのは、水温、潮位、昼間時間帯、釣れた時刻の４つの記載項目であるが、先ず、一つ目の項目、水温については本発明の釣り日誌に記載欄を設定することにする。本発明では、釣り人が独自の場所と方法で測定した温度を記入することを目的としてこの水温の記載欄を設定している。例えば鹿児島県加世田市の万之瀬川河口で一年中釣りを楽しむ人で季節の変わり目に水温計を携帯する釣り人がいる。その人は、３月上旬になると釣りの度に河口の水深２０ｃｍ程度の所の水温を棒状の水温計で計り、水温が２１度を超したので、今まではセイゴ（スズキの幼魚）が釣れていたが、後１週間もすれば、そろそろチヌが釣れ出す、と予想する。その人は河口の水温で河口周辺のチヌの動きが読めるのである。
【００１６】
更に、水温について補足説明する。海上保安庁では、一定の地点（場所）の水深１メートルの海水を取水して海水温度としている。また、かごしま水族館（いおワールド）では海岸から７００メートル沖の水深３０メートルの所の固定した場所から取水する海水の温度を計測して同水族館の海水温度の統計数値としている。正式な海水温度の統計数値は以上のように一定の規則による観測の方法だが、この釣り日誌に記載される水温は、たとえば一般に市販されている棒状の水温計で水深２０ｃｍ程度の所の水温を測定すればよい。水温測定の時期をずらして、二度、三度と同じ場所で計測すると水温の変化が分かる。
【００１７】
市販されている釣り日誌に欠けている、二つ目の項目、潮位については、これをグラフで表示してあるので、潮の干満時刻と最高最低の潮位を認識することの他に、グラフ上に釣果を記入することで魚の釣れた時刻を改めて記入する必要はなくなる。
【００１８】
市販されている釣り日誌に欠けている、三つ目の項目、昼間時間帯は日の出から日没までを長方形の印で釣り日誌の中に視覚的に把握することができるように表示してあるので、釣り人は、この昼間時間帯を見て、魚種によっては、魚の食いが盛んになり、魚がよく釣れる時刻である夜明けと日没を明確に認識できる。
【００１９】
市販されている釣り日誌に欠けている、四つ目の項目、釣れた時刻は、釣り日誌に表示された潮位のグラフ上の時刻の箇所に釣り人が魚種を記入すれば、時刻を記入しないでも、釣れた時刻を後で読みとることができる。
【発明を実施するための最良の形態】
【００２０】
釣り人は、出かけた日の釣果を、大漁の時は、当日の釣り竿や道糸から指先や体に伝わってくる当たりの感触を思い出しながら、不漁の時は、次こそはと闘志を燃やしながら、釣行を振り返り、記録する。この場合、当日の釣りの状況を漏れなく記入できる釣り日誌があれば非常に便利である。
【００２１】
従来より、潮の干満時刻が印刷されている釣り日誌を印刷、製本する場合、発行者の判断で、発行者の決めた港の潮の干満時刻が記載され、発売されている。魚は季節、気温、水温の他に潮の干満に敏感に反応することを全ての釣り人が認識している。釣果を記録する釣り人にとって、実際の釣り場から遠く離れた港の潮の干満時刻が記載されている釣り日誌を使用する気にはならない。例えば、北九州市の関門の潮の干満時刻が記載されている釣り日誌が鹿児島県内の本屋や釣具店の店頭に並んでいることがある。これでは釣り人のための釣り日誌ではない。本発明では、釣り人のための釣り日誌を作成することを最大の目標とする。
【００２２】
本発明は、記録として残しておきたい記載項目を厳選し、既存の釣り日誌に欠けている記載項目を調査し、これを釣り日誌に追加することで、釣り人に便利で使いやすい釣り日誌を提供する。本発明を完成させるために、記載項目、記載形式、表示形式を研究しつつ、釣り日誌を印刷・製本するためのソフトウエアの作成方法について鋭意、検討を重ねた結果、本発明の新規の釣り日誌の形式を実現する。
【００２３】
釣り日誌の構成については次のとおりになっている。記録として残し、釣り人が後々その記録を次の魚釣りの参考とするために本発明が注目した記載項目は、市販の釣り日誌に欠けている、水温、潮位、昼間時間帯、釣れた時刻、の４項目である。この４項目を釣り日誌に追加しなければならない記載項目としてとらえ、本発明が作成する釣り日誌の中に全て組み込んだ。本発明が釣り日誌に組み込んだ記載項目は、月の暦、月日、曜日、旧潮名、潮の干満時刻と潮位、日の出と日没（昼間時間帯）と月の出入り時刻、場所、釣果、天候、水温、仕掛け、エサ、波高、風向、特記欄と備考の欄である。
【００２４】
発明が解決しようとする一つ目の課題については、釣り日誌に必要な記載事項を、月の暦、月日、曜日、旧潮名、潮の干満時刻と潮位、日の出から日没の昼間時間帯と月の出入り時刻、場所、釣果、天候、水温、仕掛け、エサ、波高、風向、特記欄、備考の欄と考えて、月の暦はページ毎に、その他の記載事項は日別に記載する釣り日誌を作成する。
そこで、釣り人が釣行を記入する場合、当日の釣りの状況を漏れなく記録するように記載欄をコンパクトにまとめ、月の暦はページ毎に、月日、曜日、旧潮名、潮の干満時刻と潮位、日の出と日没（昼間時間帯）と月の出入り時刻等、あらかじめ入手できるデータは日毎に記載しておくと共に、特に、潮位をグラフで表示し、潮の干満時刻と最高最低の潮位を、縦に同一の時刻帯に記載し、この時、最高最低の潮位は、１日２４時間を表示した釣り日誌の中のグラフ上に記載し、日の出から日没までの昼間時間帯は各日毎の中央下部に、長方形の印で表示する釣り日誌を作成する。釣り日誌の記載項目の内の残りの記載項目である、場所、釣果、天候、水温、仕掛け、エサ、波高、風向、特記欄、備考の欄の各記載項目については、釣り人が釣り当日の、実際の状況を記入するスペースを設定して漏れなく配置する。
【００２５】
特に潮の干満時刻と潮位については、本発明のために作成したソフトウエアを用いて、釣り日誌に記載される事項の中に、１日２４時間を表示し、潮の干満時刻とその潮位の記載位置が時刻の経過に伴って移動し、潮位がグラフで表示される日誌を作成する。魚釣りを終えて、この釣り日誌に釣果を記入する時、印刷されているグラフ上の潮位の時刻の箇所に釣果つまり魚種を記入することで間違いなく釣果を時系列的に記入することができる。
【００２６】
発明が解決しようとする二つ目の課題については、印刷、製本する場合、データを入手できる全ての港を基準として、各港毎に１冊の釣り日誌を作成することが望ましいが、印刷経費の面から印刷する港の数には限度がある。そこで、潮の干満の時刻の時間的ずれを考慮して、海に面している海岸の長さや地理的条件を判断材料にして、都道府県毎に基準港を二つから五つに分けて釣り日誌を作成する。本発明のために作ったソフトウエアを用いることで、多くの釣り人が利用しやすく、釣り人に重宝がられる釣り日誌を作成し、提供することができる。
【００２７】
例えば、鹿児島県には、薩摩半島と大隅半島に挟まれる形で錦江湾がある。錦江湾内には多数の港や釣り場があるが、いずれの港も鹿児島港の潮の干満時刻と比べてその差は最大で１５分以内であるから、錦江湾内での釣行を記入する釣り日誌は、鹿児島港基準の釣り日誌、つまり鹿児島港の潮の干満時刻が掲載されている釣り日誌で充分である。しかし、同じ鹿児島県でも志布志港、阿久根港、離島等については潮の干満時刻が、鹿児島港と比べて、４０から５０分以上の差があり、潮の干満時刻の差が大きいので、鹿児島県でも志布志港、阿久根港、離島等については、各港を釣り日誌の基準港としてそれぞれの地区の釣り日誌を発行し、釣り人のための、釣り人が使い勝手のよい釣り日誌を提供しなければならない。
【００２８】
発明が解決しようとする三つ目の課題を説明する。釣り日誌を印刷、製本するための原稿を作成する時、１日分のデータでさえ、かなりの量である。例えば、期間を１ヶ月とか季節毎、もしくは１年等として釣り日誌の冊子にする場合、手作業で原稿を作るのは大変な作業量である。そこで、本発明では、パソコン導入による作業処理を検討し、作業処理が可能なソフトウエアを作成する。このことにより、三つ目の課題、釣り日誌を印刷、製本する場合の原稿を短時間で正確に作成することが可能となる。釣り日誌に必要なデータを投入しておけば、指定する港を基準とする釣り日誌の原稿を何時でも短時間で正確に作成することができる。釣り日誌に不可欠な記載事項として必要なデータは、財団法人日本水路協会発行のＣＤロムから抽出する。
【００２９】
本発明の釣り日誌の形式は次のとおりである。
月の暦はページ毎に、月日、曜日、旧潮名、潮の干満時刻と潮位、太陽と月の出入り時刻、昼間時間帯、場所、釣果、天候、水温、仕掛け、エサ、波高、風向の各記載項目の他に、特記欄と備考の欄が日別に記載される日誌の形式と
釣り日誌に記載される事項の中に、１日２４時間を表示し、潮の干満時刻とその潮位の記載位置が時刻の経過に伴って移動し、潮位が日別にグラフで表示される日誌の形式と、  １日２４時間が表示してある日誌の中に、日の出日没の時刻の変化に伴って記載位置が移動する昼間時間帯が日別に長方形の印で表示される日誌の形式からなる釣り日誌である。
【００３０】
本発明は、いろいろな実施形態で実現できるが、本発明の特徴的な構成を詳しく説明する。その内容を以下、図１、図２、図３に基づいて詳しく説明する。また、図４、図５に本発明の釣り日誌の形式で釣り日誌を印刷・製本するためのプログラムソフトウエアとフローチャートを図示する。図６から図９までは釣り日誌の実施例である。
【００３１】
本発明の日誌形式の釣り日誌の１日分を図１に示す。釣り日誌システムの構成を図１により説明する。図１の上部は暦の欄と特記欄で構成される。下部は月日欄、潮位のグラフの欄、備考の欄で構成される。図１の上部から説明する。
暦の欄には、釣り日誌に記載されている週を含むその月の日曜表を表示する。通常、土曜日・日曜日が釣り予定日であるので、月曜日から始まる日曜表を記載する。本発明のために作られたソフトウエアに予定日を入力すると、予定日を含む月の日曜表・暦を作成し表示する。また。月の暦は月曜日から始まる形式で、月の初日（１日）が日曜日となっても月末の数日が半角とならないように一ヶ月の暦の曜日と日の印刷欄は、７段設定してある。特記欄には、基準港、場所、月日、仕掛け、エサ、釣果の記載項目がある。この特記欄には釣り日誌に記載されている月日の内、特に記録として残しておきたい日の状況を釣り人が記入する。
【００３２】
図１の下部を説明する。下部は、釣り日誌の１日分である。１日分の中の左側４分の１のスペースに月日の欄を配置する。月日欄には、月日、曜日、旧潮名、日の出・日没、月の出入り、天候、水温、波高、風向を記載する。月日欄の月日、曜日、旧潮名、日の出・日没と月の出入り時刻は、財団法人日本水路協会発行のデータから抽出し、記載する。月日欄の天候、水温、波高風向は釣り人が釣り日誌を使用する場合、釣り当日の状況を記入する。
なお、旧潮名は、一般的に、小潮、中潮、長潮、若潮、大潮がある。潮の干満の高低の差から日別に旧潮名が付けられている。旧潮名の呼称についての法律、規則はない。また、気象観測上にも特別なルールはない。財団法人日本水路協会が使用している旧潮名が全国的に使われ、一般的に知られているので、本発明の釣り日誌の中では、財団法人日本水路協会が使用している旧潮名を使うことにしている。
１日分の残り４分の３のスペースには、右端に４分の３の内の８分の１を釣り人が特にメモしたい事項を記入する備考の欄として割り当て、その残りに、潮位グラフの欄を配置する。潮位グラフの欄には、０時から２４時までの時刻の流れを左から右へ、横方向に記載し、０時、６時、１２時、１８時、２４時を点線で区切って表示し、毎日変化する潮の干満時刻とその最高最低の潮位の記載位置が時刻の経過に伴って移動して記載され、１日２４時間の潮位はグラフで表示してある。最高最低の潮位はグラフの線上に記載する。なお、魚の釣れた時刻も釣り日誌に必要な記載項目であるが、本発明では、記載項目の一つとしては表示しないで、グラフで表示される潮位の線上に釣れた魚の名を記入することで釣れた時刻が読めるようにしてある。潮位グラフの欄の下部中央には長方形の印で日の出から日没までの昼間時間帯を表示してある。潮位のグラフの欄の右側に備考の欄を配置する。備考の欄には、釣りをした１日の中で、釣り人が特に記録しておきたい事項を記録するスペースである。
【００３３】
次に図２について説明する。本発明の日誌形式の釣り日誌の１ページ１週間分の内容を説明する。本発明の釣り日誌の１ページには月の暦及び特記欄を記載する最上段の枠と１週間７日の各１日分を記載する七つの枠、計八つの枠がある。
最上段の枠の月の暦の欄には、釣り日誌に記載されている週を含むその月の日曜表を表示する。通常、土曜日・日曜日が釣り予定日であり、月曜日から始まる日曜表を記載する。その月の１日が暦の最上段の日曜日となった場合でも、月末の数日が半角とならないように一ヶ月の暦の日の記入欄は、６段設定してある。最上段の枠の特記欄には、基準港、場所、月日、仕掛け、エサ、釣果の項目を記載する。釣り日誌のこのページに記載されている１週間の内で、特に記録として残しておきたい日の状況を釣り人がこの特記欄に記入する。
【００３４】
図２の２段目以下について説明する。２段目以下の七つの枠の各一つの枠に１週間、７日の１日分を月曜日から日曜日の順に記載する。
１日分には、月日、曜日、旧潮名、太陽と月の出入り時刻を印刷し、天候、水温、波高、風向の記入欄を含めて左側４分の１のスペースに記載する。右側の残り４分の３には右端に４分の３の内の８分の１を釣り人が特にメモしたい事項を記入する備考の欄として割り当て、その残りに、０時から２４時までの時刻の流れを左から右へ、横方向に記載し、０時、６時、１２時、１８時、２４時を点線で区切って表示し、潮の干満時刻とその最高最低の潮位の記載位置が時刻の経過に伴って移動して記載され、１日２４時間の潮位はグラフで表示してある。最高最低の潮位はグラフの線上に記載する。なお、魚の釣れた時刻も釣り日誌に必要な記載項目であるが、本発明では、記載項目の一つとしては表示しないで、グラフで表示される潮位の線上に釣れた魚の名を記入することで釣れた時刻が読めるようにしてある。潮位グラフの欄の下部中央には長方形の印で日の出から日没までの昼間時間帯を表示してある。
【００３５】
以上のとおりの１日分の記載内容で、７日分掲載して１ページとしている。この１ページ７日分を５２週連続して印刷すると１年分の釣り日誌となる。釣り人が希望する日の１週間分だけとか、あるいは一ヶ月分、季節毎の冊子にする等の形で釣り人が求める釣り日誌として、釣り人に提供することができる。
【００３６】
この形式で作られる釣り日誌は、釣り人の使い勝手をよくするために携帯可能であることが必要である。そこで、釣り日誌は、ポケットサイズにするという条件の中でこれをできる限り大きくすることを検討する。更に、１日分のスペースを可能な限り広く取り、文字は大きくすることが年輩の釣り初心者の方々を含めて、多くの釣り人に喜ばれることである。そのために、釣り日誌を見開きの状態、つまり２ページで１週間分が表示される釣り日誌を作成することにする。その場合に、冊子として製本する時、綴じ代として、図２にあるように、上下方向の中央に空白のスペースを確保してある。
釣り日誌は、釣り現場で使われることがよくある。このため、釣り日誌に使用する用紙は、水濡れに強い紙を使用することにしている。また、紙が水に濡れていても書くことのできるペンを釣り日誌の付属品とすることも予定している。
【００３７】
次に図３について説明する。図３は本発明の日誌形式で基準港を鹿児島港とする釣り日誌、１ページ１週間分である。平成１６年９月１３日から９月１９日までの１週間分の釣り日誌である。
１ページは八つの枠で構成される。最上段の枠の左側４分の１のスペースにこのページに掲載される週を含む９月の暦を記載する。
【００３８】
最上段の枠の残り４分の３のスペースには、釣り人がそのページの１週間の中で、特に記録し、残しておきたい日の釣行をメモするように、基準港、場所、月日、仕掛け、エサ、釣果の項目を記載する特記欄を配置する。釣り日誌の基準港・鹿児島港を表示する。この釣り日誌の全てのデータはこの基準港・鹿児島港を中心としたデータである。
【００３９】
八つの枠の内、残りの七つの枠に、１週間、７日分を日別に１３日（月曜日）から１９日（日曜日）の順で記載する。各１日分には、月日（曜日）、旧潮名、太陽と月の出入り時刻を記載し、天候と水温と波高、風向の記入欄を含めて左側４分の１のスペースに記載する。右側の残り４分の３には右端に４分の３の内の８分の１を釣り人が特にメモしたい事項を記入する備考の欄として割り当て、その残りに、０時から２４時までの時刻の流れを左から右へ横方向に記載し、０時、６時、１２時、１８時、２４時を点線で区切って表示し、潮の干満時刻とその最高最低の潮位の記載位置を時刻の経過に伴って移動して記載し、１日２４時間の潮位はグラフで表示する。最高最低の潮位はグラフの線上に記載する。
なお、魚の釣れた時刻も釣り日誌に必要な記載項目であるが、本発明では、記載項目の一つとしては表示しないで、グラフで表示される潮位の線上に釣れた魚の名を記入することで釣れた時刻が読めるようにしてある。潮位グラフの欄の下部中央には長方形の印で日の出から日没までの昼間時間帯を表示してある。釣り用語に朝まづめ、夕まづめという言葉がある。これは、魚種によっては、日の出直前、日没前後の時間帯に魚の食いが盛んになり、魚がよく釣れる時間帯のことである。日の出から日没の昼間時間帯を表示することで釣り人は朝まづめ、夕まづめを意識する。
【００４０】
以上のとおり基準港・鹿児島港の１日分の記載内容であり、７日分掲載して１ページとしている。この１ページ７日分を５２週連続して印刷すると１年分の釣り日誌となる。また、釣り人が希望する日の１週間分だけとか、あるいは一ヶ月分、季節毎の冊子にする等の形で釣り人が求める釣り日誌として、釣り人に提供することができる。
【００４１】
図４で、本発明の日誌形式で日誌を作成するためのシステム全体および日誌形式を印刷するための操作画面を説明する。
【００４２】
データは、財団法人日本水路協会が発行するＣＤロムから抽出する。本ＣＤロムには（図４の１０１）には、年月日、曜日、旧潮名、基準港、干満時刻、１時間毎の潮位、最高潮位、最低潮位、日の出時刻、日没時刻、月の出入り時刻が、テキストファイル形式で収録されている。このデータは、本発明の日誌形式を作成するソフトウェアに取り込まれるために、あらかじめそれらのデータは、コンピュータ内もしくは外部記憶装置に保存する。
【００４３】
本発明のソフトウェアをコンピュータ上で起動し、コンピュータのメモリへロードして、実行可能な状態にする。このコンピュータには、中央演算処理装置（略称「ＣＰＵ」）や、メモリや、陰極線管（略称「ＣＲＴ」）などの表示装置などが含まれる。メモリには、外部記憶装置から、本ソフトウェアを動作するための制御プログラムが読込まれる。
【００４４】
そのソフトウェアの実行後の画面には、開始日（図４の１０２）、終了日（図４の１０３）、基準港（図４の１０４）の入力スペースが設けられている。入力者は、作成したい日誌の期間を、開始日と終了日を入力することによって、検索条件が設定できる。開始日、終了日は、西暦もしくは和暦で入力し、月日については、漢字もしくは数字にて入力する。
基準港を直接入力することができる。また、入力欄の右側、三角印のボタンを押して、予め登録された港名のリストの中から選択することも可能であり、簡易に基準港を選択できる。
【００４５】
なお、この入力画面には、印刷実行ボタン（図４の１０５）も配置される。この印刷ボタンをクリックすると、入力された条件に応じた日誌形式を作成し、コンピュータに接続された印刷機（図４の１０６）に、そのデータを送信するプログラムが実行される。この操作によって、印刷（図４の１０７）が可能となる。また、作成された日誌形式を外部記憶装置に記憶させたりすることもできる。
【００４６】
本ソフトウェアでは、入力過誤を検知する機能を備えており、入力されたパラメータ（開始日、終了日、基準港）と、元データを比較し、完全一致したデータのみを抽出することにより、過誤を防ぐことができる。つまり、入力されたパラメータが、財団法人日本水路協会のデータに存在しない場合には、印刷しない。以上の手順で、指定された期間と基準港の日誌形式が印刷される。
【００４７】
図５は本発明の日誌形式における検索処理手順を示すフローチャートである。この検索処理では、財団法人日本水路協会発行のＣＤロムから日付範囲と基準港による検索が行われる。
【００４８】
まず、ソフトウェアを起動し入力画面の表示を行う（図５の２０１）。次に使用者によって指示された検索条件を入力する。日誌を作成するための開始日付を西暦または和暦、月、日を入力し印刷終了日付も同様に西暦または和暦、月、日を入力し（図５の２０２）入力された日付が実在する日であるかチェックを行い、入力した日付が財団法人日本水路協会発行のＣＤロム内に存在するかチェックを行う（図５の２０３）。入力異常の場合は、入力画面（図５の２０１）へ処理を戻す。
【００４９】
次にあらかじめ登録された基準港を入力画面（図５の２０４）から選択する。選択した基準港が財団法人日本水路協会発行のＣＤロム内に存在するかチェックを行い（図５の２０５）入力異常の場合は（図５の２０１）へ処理を戻す。
【００５０】
ＣＤロム（図５の２０６）内から図５の２０２，図５の２０４で入力された条件のデータを読み込み入力条件に該当する潮の干満のデータを抽出する（図５の２０７）。該当するデータがなかった場合（図５の２０８）、入力画面（図５の２０１）へ処理を戻す。該当するデータがあった場合は、本発明の形式で日誌を作成する（図５の２０９）。
本発明のために作られたプログラムソフトウエアが作成する釣り日誌の構成について図２に示している。
【実施例１】
【００５１】
基準港として鹿児島港の１日分の記入例を図６に示す。本発明の日誌形式で作られた釣り日誌に釣り人が手書き部分を記入している。この日の日誌から、９月２１日、天候は晴れ曇り、南西の風、波は穏やか、水温２３度、潮は小潮の満潮から下げ潮になったところ、本日のねらいは、チコダイとカワハギ。テンビン仕掛け、道糸４号、ハリス２号、エサは生おきあみ（Ｍサイズ）、自家用釣り船の一人釣り、船は１０時００分、谷山港を出港、鴨池港沖で釣りを開始１０時３０分、約１時間数カ所の棚に探りを入れるも当たり無し。１２時頃、水深３６ｍのところで初めての当たり、この後、１５時まで約３時間、合計、チコダイ７匹（６００ｇから３００ｇ）、本カワハギ８匹（４００ｇから３００ｇ）の釣果。１５時００分頃帰港したことが読みとれる。この釣り日誌には、鹿児島港の干満時刻と潮位が記載されている。一方、この日の釣り場は鴨池港沖であるが、鹿児島港と鴨池港の距離は６キロ程度であり、両港の潮の干満の時刻と潮位の状況に差は無い。また、本発明の釣り日誌の記入方についての決まりはない。後日、釣り人が日誌を開いたとき、記録として釣り人が思い出すことができる略字や記号を使っても良い。
【実施例２】
【００５２】
基準港として福岡港の１日分の記入例を図７に示す。本発明の日誌形式で作られた釣り日誌に釣り人が手書き部分を記入している。１０月２４日（日）天候晴れ、北西の風、波やや高、福岡・大入港を日の出直前の６：３０出港、本日のねらいマアジ。２５分でポイント到着、水温２１度、仕掛けは錘６０号、テンビン仕掛け、道糸５号、ハリス３号、水深３０ｍ。エサは生おきあみ（Ｌサイズ）。一投目、２３ｃｍのマアジ。この後、途切れることなくマアジをゲット。サイズ２５から３０ｃｍ合計６０匹のマアジ。納竿１２：００。帰港１２：４０。カワハギねらい同乗の釣り友は、うちわサイズの本カワハギ７匹とマアジ１５匹の釣果。
【実施例３】
【００５３】
基準港として宮崎港の１日分の記入例を図８に示す。本発明の日誌形式で作られた釣り日誌に釣り人が手書き部分を記入している。９月３０日（木）釣り場は宮崎市清武川河口。
７時河口到着。大潮の満潮から下げ潮。投げ釣りでハゼとメイタ（チヌの幼魚）ねらい。天候くもり、水温２３度、北西の微風。エサは養殖ゴカイ、道糸３号、ハリス１．５号、２本針。７：３０第１投、１０ｃｍのマハゼ。満潮（７：１０）から正午まで下げ潮の５時間に当たり有り。マハゼ（１０ｃｍ前後）４１匹、メイタ（手のひらサイズ）７匹と外道（目的外の魚）のマイサキの子（１７ｃｍ）５匹、セイゴ（スズキの子１８ｃｍ）２匹の釣果。小物の大漁であった。１４時納竿。
【実施例４】
【００５４】
基準港として名瀬港の１日分の記入例を図９に示す。本発明の日誌形式で作られた釣り日誌に釣り人が手書き部分を記入している。９月２７日（月）、天候  晴れ  くもり、水温２４度、波は穏やか、風向きは南西。場所は名瀬港、１１時から波止釣り。潮時は、中潮の干潮から上げ潮。メイタ（チヌの幼魚）ねらい。仕掛けは道糸３号、ハリス１．５号、チヌ針４号、棒浮き。浮き下４ｍ。エサは生オキアミのＭサイズでふかせ釣り。およそ１時間当たりなし。マキエを岸壁近くに打ったところ当たり有り。釣り開始からおよそ１時間、１匹目のメイタ２５ｃｍをゲット。その後、干潮（１２：２１）の潮止まりから２時間の上げ潮で手応え有り。１６時納竿までに、メイタ、３０ｃｍサイズ２匹、２５ｃｍサイズ５匹の釣果。
【図面の簡単な説明】
【００５５】
【図１】本発明の日誌形式で作成する釣り日誌の１日分である。
【図２】本発明の日誌形式で作成する釣り日誌の１週間分である。
【図３】本発明の日誌形式の釣り日誌の鹿児島港の１週間分である。
【図４】本発明の日誌形式で日誌を作成するソフトウエアである。
【図５】本発明の日誌形式で日誌を作成するソフトウエアフローチャートである。
【図６】本発明の日誌形式の釣り日誌の鹿児島港（実施例１）である。
【図７】本発明の日誌形式の釣り日誌の福岡港（実施例２）である。
【図８】本発明の日誌形式の釣り日誌の宮崎港（実施例３）である。
【図９】本発明の日誌形式の釣り日誌の名瀬港（実施例４）である。
【符号の説明】
【００５６】
１０１    ＣＤロム
１０２    開始日入力欄
１０３    終了日入力欄
１０４    基準港入力欄
１０５    印刷ボタン
１０６    プリンター
１０７    釣り日誌
【図１】
2006051793.tif 000003
【図２】
2006051793.tif 000004
【図３】
2006051793.tif 000005
【図４】
2006051793.tif 000006
【図５】
2006051793.tif 000007
【図６】
2006051793.tif 000008
【図７】
2006051793.tif 000009
【図８】
2006051793.tif 000010
【図９】
2006051793.tif 000011